(57)【要約】【課題】盗撮目的の撮像であるか否かを確実に判断し、例えば、盗撮目的でない鉛直上方の撮像を制限されることがないようにできる携帯撮像装置及びコンピュータプログラムを提供する。【解決手段】鉛直上方の撮像を制限するようにしてある携帯撮像装置において、撮像レンズの光軸方向と予め設定された所定方向との角度に基づいて自らの姿勢を判断すると共に、自らの現在位置が撮像の禁止区域であるか否かを判断し（Ｓ１０９）、自らの姿勢が所定方向の範囲にあって、自らの現在位置が撮像の禁止区域であると判断した場合（Ｓ１０９でＹＥＳ）、撮像レンズを介して受光した被写体の像を撮像するための撮像関連処理を実行しないように制御する（Ｓ１１０）。【選択図】図９
2009141501.tif 000002
【特許請求の範囲】
【請求項１】
撮像レンズを介して受光した被写体の像を撮像するための撮像関連処理を、撮像操作に応じて実行する携帯撮像装置において、
前記撮像レンズの光軸方向を検出する方向検出手段と、
検出された光軸方向と予め設定された所定方向との角度が閾値以下であるか否かを判断する姿勢判断手段と、
自らの現在位置が撮像の禁止区域であるか否かを判断する禁止区域判断手段と、
前記角度が閾値以下であり、自らの現在位置が撮像の禁止区域であると判断した場合、前記撮像関連処理を実行しないように制御する制御手段と
を備えることを特徴とする携帯撮像装置。
【請求項２】
自らの現在位置の移動速度を検出する手段を更に備え、
前記制御手段は、前記角度が閾値以下であり、自らの現在位置が撮像の禁止区域であると判断した場合、検出した移動速度に基づいて前記撮像関連処理を実行しないように制御してあることを特徴とする請求項１に記載の携帯撮像装置。
【請求項３】
被写体までの距離を測定する距離測定手段を更に備え、
前記制御手段は、前記角度が閾値以下であり、自らの現在位置が撮像の禁止区域であると判断した場合、測定した被写体までの距離に基づいて前記撮像関連処理を実行しないように制御してあることを特徴とする請求項１又は２に記載の携帯撮像装置。
【請求項４】
被写体の顔領域を検出する顔検出手段を更に備え、
前記制御手段は、前記角度が閾値以下であり、自らの現在位置が撮像の禁止区域であると判断した場合であって、被写体の顔領域を検出することができないとき、前記撮像関連処理を実行しないように制御してあることを特徴とする請求項１乃至３の何れか一つに記載の携帯撮像装置。
【請求項５】
コンピュータに、携帯撮像装置の撮像レンズを介して受光した被写体の像を撮像するための撮像関連処理を撮像操作に応じて実行させるコンピュータプログラムにおいて、
前記撮像レンズの光軸方向を検出させるステップと、
検出された光軸方向と予め設定された所定方向との角度が閾値以下であるか否かを判断させるステップと、
前記携帯撮像装置の現在位置が撮像の禁止区域であるか否かを判断させるステップと、
前記角度が閾値以下であり、前記携帯撮像装置の現在位置が撮像の禁止区域であると判断した場合、前記撮像関連処理を実行させないように制御させるステップと
をコンピュータに実行させることを特徴とするコンピュータプログラム。
【発明の詳細な説明】
【技術分野】
【０００１】
本発明は、盗撮目的の撮像を禁止することができる携帯撮像装置及びコンピュータプログラムに関する。
【背景技術】
【０００２】
従来、携帯スチルカメラ、携帯ビデオカメラ、カメラ付き携帯電話装置などの携帯撮像装置は、飛躍的に小型化され、ユーザによる携帯性を向上させた。しかし、高い携帯性を有する撮像装置は、例えば、電車内、ホーム、階段又はエスカレータなどで女性のスカート内部をローアングルから盗撮するという反社会的行為に悪用されるようになった。特に、通信機能を備えるカメラ付き携帯電話装置にあっては、撮像した画データをすぐにインターネット上にアップロードにするができ悪用され易いため、盗撮目的の撮像を禁止する手段が要望された。このような盗撮を防止するべく、従来の携帯撮像装置は、撮像時にビープ音又はフラッシュ光を発するように工夫されていた。しかし、かかる工夫は、盗撮場所周辺の騒音又は照明などにより格別な効果を奏するに至らなかった。そこで、撮像レンズの光軸方向が鉛直上方であると判断したとき、撮像を禁止するようにした撮像装置が更に提案された（例えば、特許文献１又は特許文献２）。
【特許文献１】特開２００４−３４３４３４号公報
【特許文献２】特開２００６−１９１３８０号公報
【発明の開示】
【発明が解決しようとする課題】
【０００３】
しかしながら、特許文献１又は特許文献２に記載された撮像装置は、かかる鉛直上方の撮像が盗撮目的であるか否かを判断することまではできなかったため、例えば、天井に描かれた画、植物の葉の裏面など、盗撮目的でない鉛直上方の撮像ができず、通常の撮像機能を著しく制限されるという問題を有している。
【０００４】
本発明はかかる事情に鑑みてなされたものであり、その目的とするところは、鉛直上方の撮像を制限するようにしてある携帯撮像装置において、撮像レンズの光軸方向と予め設定された所定方向との角度に基づいて自らの姿勢を判断すると共に、自らの現在位置が撮像の禁止区域であるか否かを判断し、自らの姿勢が所定方向の範囲にあって、自らの現在位置が撮像の禁止区域であると判断した場合、撮像レンズを介して受光した被写体の像を撮像するための撮像関連処理を実行しないように制御することにより、盗撮目的の撮像であるか否かを確実に判断することができ、盗撮目的でない鉛直上方の撮像を制限されることがないようにできる携帯撮像装置及びコンピュータプログラムを提供することにある。
【課題を解決するための手段】
【０００５】
上記目的を解決するために本発明に係る携帯撮像装置は、撮像レンズを介して受光した被写体の像を撮像するための撮像関連処理を、撮像操作に応じて実行する携帯撮像装置において、前記撮像レンズの光軸方向を検出する方向検出手段と、検出された光軸方向と予め設定された所定方向との角度が閾値以下であるか否かを判断する姿勢判断手段と、自らの現在位置が撮像の禁止区域であるか否かを判断する禁止区域判断手段と、前記角度が閾値以下であり、自らの現在位置が撮像の禁止区域であると判断した場合、前記撮像関連処理を実行しないように制御する制御手段とを備えることを特徴とする。
【０００６】
また、本発明に係る携帯撮像装置は、自らの現在位置の移動速度を検出する手段を更に備え、前記制御手段は、前記角度が閾値以下であり、自らの現在位置が撮像の禁止区域であると判断した場合、検出した移動速度に基づいて前記撮像関連処理を実行しないように制御してあることを特徴とする。
【０００７】
また、本発明に係る携帯撮像装置は、被写体までの距離を測定する距離測定手段を更に備え、前記制御手段は、前記角度が閾値以下であり、自らの現在位置が撮像の禁止区域であると判断した場合、測定した被写体までの距離に基づいて前記撮像関連処理を実行しないように制御してあることを特徴とする。
【０００８】
また、本発明に係る携帯撮像装置は、被写体の顔領域を検出する顔検出手段を更に備え、前記制御手段は、前記角度が閾値以下であり、自らの現在位置が撮像の禁止区域であると判断した場合であって、被写体の顔領域を検出することができないとき、前記撮像関連処理を実行しないように制御してあることを特徴とする。
【０００９】
更にまた、本発明に係るコンピュータプログラムは、コンピュータに、携帯撮像装置の撮像レンズを介して受光した被写体の像を撮像するための撮像関連処理を撮像操作に応じて実行させるコンピュータプログラムにおいて、前記撮像レンズの光軸方向を検出させるステップと、検出された光軸方向と予め設定された所定方向との角度が閾値以下であるか否かを判断させるステップと、前記携帯撮像装置の現在位置が撮像の禁止区域であるか否かを判断させるステップと、前記角度が閾値以下であり、前記携帯撮像装置の現在位置が撮像の禁止区域であると判断した場合、前記撮像関連処理を実行させないように制御させるステップとをコンピュータに実行させることを特徴とする。
【００１０】
本発明にあっては、携帯撮像装置が備える撮像レンズの光軸方向を検出し、検出した光軸方向と所定方向との角度が閾値以下であるか否かを判断することにより、携帯撮像装置の姿勢を判断する。また、携帯撮像装置の現在位置が撮像の禁止区域であるか否かを判断することにより、携帯撮像装置が盗撮に悪用されるおそれがあるか否かを判断する。また、携帯撮像装置が所定の姿勢であって、携帯撮像装置の現在位置が撮像の禁止区域であると判断した場合、撮像関連処理を実行しないように制御することにより、携帯撮像装置が盗撮に悪用されていると断定して撮像を禁止する。
【発明の効果】
【００１１】
本発明にあっては、鉛直上方の撮像を制限するようにしてある携帯撮像装置において、盗撮目的の撮像であるか否かを確実に判断でき、例えば、天井に描かれた画、植物の葉の裏面など、盗撮目的でない鉛直上方の撮像ができ、通常の撮像機能が著しく制限されるという問題を回避することができる。
【発明を実施するための最良の形態】
【００１２】
以下、本発明に係る携帯撮像装置及びコンピュータプログラムについて、実施の形態を示す図面に基づいて説明する。図１は本発明に係る携帯撮像装置の一例である携帯電話機１の外観を示す斜視図、図２は携帯電話機１の内部構成を示すブロック図、図３は撮像処理部１３の内部構成を示すブロック図である。
【００１３】
携帯電話機１は、直方体状の筐体２の前面２ａに上から順に通話時の相手先から受話した音声を出力するスピーカ７、文字、数字及び画像などの情報を画像出力するための液晶モニタ３、ユーザからの操作入力を受け付けるための複数ボタンを有する操作部５、ユーザの音声を入力するマイク６を備える（図１（ａ）参照）。また、携帯電話機１は、筐体２の一部に突出させた伸縮式のアンテナ４を備える。
【００１４】
また、携帯電話機１は、筐体２の背面２ｃに上から順に撮像レンズ８１、撮像用フラッシュライト９、加速度センサ２７・地磁気センサ２８・ＧＰＳ(Global Positioning System)ユニット２９・温度測定センサ３０・距離測定センサ３１などを含むセンサ群を備える（図１（ｂ）参照）。また、携帯電話機１は、筐体２の背面２ｃの下方に設けた蓋部２ｄの内部にバッテリ２６を収納している。
【００１５】
携帯電話機１は、制御部１０、記録媒体読書部１１、通信部１２、撮像処理部１３、音声入力部１４、音声出力部１５、振動発生部１６、フラッシュ発光部１７、記憶部１８、表示処理部１９、加速度検出部２０、方向検出部２１、位置検出部２２、温度測定部２３、距離測定部２４及び電源制御部２５を内蔵している。各ハードウェアは、バス４０を介して相互に接続されている。各ハードウェアについて、以下説明する。
【００１６】
制御部１０は、携帯電話機１を構成する各ハードウェアを制御し、通話機能、通信機能、表示機能、撮像関連機能などについての制御処理を実行する。制御処理の手順は、記憶部１８に記憶してあるプログラムに規定されており、制御部１０は、プログラムに従い、制御処理を実行する。かかるプログラムは、本発明に係るコンピュータプログラムに該当し、かかるプログラムに従い各種演算を実行する制御部１０は、本発明のコンピュータに該当する。
尚、制御処理の手順については、後述にて説明する。また、制御部１０は、プログラムに従うことにより、例えば、撮像関連処理の制御手段、姿勢判断手段、禁止区域判断手段、顔検出手段、その他の制御手段などに該当する。
【００１７】
記録媒体読書部１１は、制御部１０により制御されることにより、記録媒体１１１に記録してあるプログラム、画データ又は各種データを読み出すか、又は記録媒体１１１への書き込みを行う。記録媒体読書部１１は、挿入口（図示せず）に記録媒体１１１が挿入されたとき、挿入された記録媒体１１１に記録してあるプログラム及び各種データを読み出し、読み出したプログラムなどを記憶部１８へ出力する。また、記録媒体読書部１１は、記憶部１８から画データを受け取り、挿入された記録媒体１１１への書き込みを行う。
【００１８】
通信部１２は、アンテナ４に接続されており、アンテナ４を介して通話内容及び通信内容の送受信を行う。
【００１９】
撮像処理部１３は、ＣＣＤ（Charged Coupled Device）８に接続され、受け付けたアナログ信号をデジタル信号へ変換するＡ／Ｄ変換器１３１、特定領域検出器１３２、明度検出器１３３、画データ生成器１３４など撮像関連を処理するための回路を備え、制御部１０により制御される（図３参照）。
【００２０】
ＣＣＤ８は、撮像レンズ８１を有しており、被写体からの反射光を撮像レンズ８１を介して被写体の像として受光し、受光した光をアナログ信号へ光電変換して撮像処理部１３へ出力する。撮像処理部１３は、受け付けたアナログ信号をＡ／Ｄ変換器１３１によりデジタル信号に変換し、変換したデジタル信号に基づいて特定領域検出器１３２により被写体の像から顔領域などの特定領域を検出し、明度検出器１３３により被写体の像の明度を検出し、デジタル信号に基づいて画データ生成器１３４により被写体の像の画データを生成する。撮像処理部１３は、検出した特定領域のデータ、検出した明度のデータを制御部１０へ出力し、生成した画データを記憶部１８へ出力する。かかる処理は、本発明に係る撮像関連処理に該当する。本実施の形態において、撮像関連処理を実行しないということは、操作部５が撮像操作を受け付けないように制御するか、撮像処理部１３を停止させるか、生成した画データを記憶部１８へ出力しないようにするか、記憶部１８に記憶してある画データを読み出すことができないように制御することである。
【００２１】
撮像レンズ８１は、光軸を有している。光軸とは、レンズ両面の曲率中心を結ぶ線である。撮像レンズ８１は、光軸を中心とした画角の範囲にある被写体の反射光を受光することができる。即ち、携帯電話機１は、撮像レンズ８１を光軸方向±（画角／２）の範囲内で被写体に向けたとき、被写体の像を撮像することができる。
【００２２】
音声入力部１４は、マイク６に接続されており、マイク６で受話したユーザの話声データを受け付け、受け付けた話声データを通信部１２へ出力する。通信部１２は、話声データを相手先の携帯電話機へ送信する。
【００２３】
通信部１２は、相手先の携帯電話機から相手先の話声データを受信し、受信した話声データを音声出力部１５へ出力する。音声出力部１５は、スピーカ７に接続されており、通信部１２から相手先の話声データを受け付け、相手先の話声をスピーカ７を介して出力する。
尚、通信部１２は、上述した機能のみに限定されることなく、例えば、撮像禁止とすべき場所に設置されている発信装置（図示せず。以下同じ。）により発信されている信号を受信し、受信した信号を制御部１０へ出力するようにしてもよい。
【００２４】
振動発生部１６は、携帯電話機１がマナーモードにされている場合、制御部１０の制御に基づいて振動を発生させて筐体２を振動させる。
【００２５】
フラッシュ発光部１７は、撮像用フラッシュライト９に接続されており、制御部１０の発光指示に応じて撮像用フラッシュライト９を発光させる。制御部１０は、被写体からの反射光量を光量測定センサ（図示せず。以下同じ。）に測定させ、測定した内容に応じた光量の発光指示をフラッシュ発光部１７に出力する。
【００２６】
操作部５は、バス４０に接続しており、ユーザにより入力された操作指示の内容を受け付け、受け付けた操作指示の内容をバス４０を介して制御部１０へ出力する。制御部１０は、操作部５を介して受け付けた操作指示の内容に従い各ハードウェアの制御を行う。
【００２７】
記憶部１８は、例えば、フラッシュメモリなどが該当し、複数の情報を記憶し、記憶順、記憶位置等に関係なく読み出すことが可能な記憶装置である。記憶部１８は、例えば、各種処理の手順を規定してあるプログラム、相手先の携帯電話機の番号を含む電話帳データ、制御部１０で判断する判断基準データ、画データ生成器１３４により生成された画データなどを記憶している。判断基準データは、例えば、所定方向データ、角度θについての閾値ａ、撮像の禁止区域となる座標データ、撮像禁止となるべき移動速度データ、撮像禁止となるべき被写体までの距離ｎ、撮像禁止となるべき被写体の温度、撮像禁止となるべき被写体の反射光量などが含まれている。
尚、記憶部１８は、記憶すべきプログラム及び判断基準データなどを携帯電話機１の工場出荷時に予め記憶するか、記録媒体１１１から読み取って記憶するか、ユーザによる入力により記憶するか、又は外部からデータを受信することにより記憶する。
【００２８】
表示処理部１９は、液晶のモニタ部３に接続されており、液晶のモニタ部３出力すべき情報の画面を調整する処理を行う。表示処理部１９は、携帯電話機１が通話機能を発揮させる場合、電話帳データの内容を画面表示し、携帯電話機１が通信機能を発揮させる場合、電子メールの内容を画面表示し、撮像関連機能を発揮させる場合、ファインダーとなる仮想的な画面を表示するように液晶のモニタ部３を制御する。
【００２９】
加速度検出部２０は、加速度センサ２７に接続されており、加速度センサ２７が検出した内容に基づいて単位時間当たりの速度の変化を特定し、特定した変化データを制御部１０へ出力する。加速度センサ２７は、例えば、３次元の加速度及び地球の重力（静的加速度）の測定にも対応でき、携帯電話機１の傾きを検出する。
【００３０】
方向検出部２１は、地磁気センサ２８に接続されており、地磁気センサ２８が検出した内容に基づいて前後・左右・上下方向の各方位を特定し、特定した方位データを制御部１０へ出力する。地磁気センサ２８は、例えば、３軸方向、即ち、前後・左右・上下方向の地磁気を検出することができ、携帯電話機１の傾きを検出する。
【００３１】
位置検出部２２は、ＧＰＳユニット２９に接続されており、ＧＰＳユニット２９が検出した内容に基づいて携帯電話機１の現在位置を特定し、特定した現在位置データを制御部１０へ出力する。ＧＰＳユニット２９は、人工衛星（図示しない。）からのＧＰＳ信号を受信して現在位置を検出することができる。
【００３２】
温度測定部２３は、温度測定センサ３０に接続されており、温度測定センサ３０が測定した内容に基づいて被写体の温度を特定し、測定した被写体の温度データを制御部１０へ出力する。温度測定センサ３０は、例えば、赤外線の反射を検出することにより、非接触状態にある被写体の温度を測定する。
【００３３】
距離測定部２４は、距離測定センサ３１に接続されており、距離測定センサ３１が検出した被写体までの距離Ｍを特定し、特定した被写体までの距離Ｍのデータを制御部１０へ出力する。距離測定センサ３１は、例えば、レーザ光又は赤外線などの反射時間に基づいて被写体までの距離Ｍを測定する。
【００３４】
電源制御部２５は、バッテリ２６に接続されており、バッテリ２６に蓄電された電力の供給及び供給遮断の制御を行う。バッテリ２６は、各ハードウェアと給電線（図示せず。以下同じ。）を介して接続されており、電源制御部２５は、この給電線を介して各ハードウェアに電力を供給する。また、電源制御部２５は、給電線により給電を遮断することにより、電源入り（オン）の状態から電源切り（オフ）の状態へ切り換える処理を行う。
【００３５】
次に制御部１０が実行する姿勢判断手段について説明する。図４は光軸方向及び所定方向の間の角度θを説明するための側面図である。
【００３６】
制御部１０は、所定方向が鉛直方向であると予め設定されているとき、加速度センサ２７が検出した地球の重力データ、又は地磁気センサ２８が検出した上下方向の地磁気データに基づいて鉛直方向を設定する。
また、制御部１０は、加速度センサ２７で検出する３次元の加速度の何れか一つを撮像レンズ８１の光軸方向となるように設定し、加速度センサ２７が検出した３次元の加速度データに基づいて撮像レンズ８１の光軸方向を検出する。
【００３７】
制御部１０は、検出した光軸方向と設定した鉛直方向との角度θを算出する。制御部１０は、記憶部１８に記憶してある角度θについての閾値ａを読み出し、角度θが読み出した閾値ａ以下であるか否かを判断する。制御部１０は、角度θが閾値ａ以下であると判断した場合、撮像レンズ８１がほぼ鉛直上方に向けられていると判断し、携帯電話機１がローアングルからの盗撮に悪用されていると判断する。閾値ａは、例えば、撮像レンズ８１の画角に基づいて、ａ＝画角／２のように予め設定され、更新される。
尚、本実施の形態では、角度θを撮像レンズ８１の光軸方向と鉛直方向との間で算出する一例を説明したが、本発明は、これに限定されるものでなく、例えば、撮像レンズ８１と水平方向との間の角度θで算出するようにしてもよい。かかる場合、制御部１０は、角度θが閾値ａを超えるか否かを判断し、角度θが閾値ａを超えると判断した場合、撮像レンズ８１がほぼ鉛直上方に向けられていると判断する。
【００３８】
次に制御部１０が実行する禁止区域の判断手段について説明する。図５は現在位置と撮像の禁止区域との関係を説明するための模式図である。
【００３９】
制御部１０は、ＧＰＳユニット２９により検出された携帯電話機１の座標データ（ｘ５，ｙ５）又は（ｘ６，ｙ６）に基づいて自らの現在位置を決定する。また、制御部１０は、記憶部１８に記憶してある撮像禁止区域となる座標データ（ｘ１，ｙ１）、（ｘ２，ｙ２）、（ｘ３，ｙ３）及び（ｘ４，ｙ４）を読み出す。撮像禁止区域となる座標データは、予め設定され、更新される。
制御部１０は、各座標データに基づいて自らの現在位置が撮像禁止区域内にあるか否かを判断する。制御部１０は、例えば、携帯電話機１の座標データが（ｘ５，ｙ５）であるとき、自らの現在位置が撮像禁止区域であると判断し、携帯電話機１の座標データが（ｘ６，ｙ６）であるとき、自らの現在位置が撮像禁止区域ではないと判断する。
【００４０】
尚、本実施の形態では、撮像禁止区域となる座標データを記憶してある記憶部１８から読み出す一例を説明した。しかし、本発明は、これに限定されるものでなく、制御部１０は、判断時に外部から撮像禁止区域となる座標データ（ｘ１，ｙ１）、（ｘ２，ｙ２）、（ｘ３，ｙ３）及び（ｘ４，ｙ４）を受信し、受信した撮像禁止区域となる座標データに基づいて判断するようにしてもよい。
【００４１】
また、制御部１０は、ＧＰＳユニット２９による携帯電話機１の座標データを取得するのでなく、判断時に外部から撮像禁止を示す信号を受信し、かかる信号を受信したとき、自らの現在位置が撮像の禁止区域内にあると判断するようにしてもよい。撮像禁止を示す信号は、撮像禁止とすべき場所に設置されている発信装置（図示せず。以下同じ。）により携帯電話機１へ送信される。このように、本発明は、ＧＰＳユニット２９を搭載しない携帯電話機１であっても、撮像禁止区域であるか否かの判断を行うことができる。
【００４２】
次に制御部１０が実行する携帯電話機１の移動速度検出手段と、検出した移動速度に基づく制御処理とについて説明する。図６は現在位置の移動速度を説明するための模式図である。
【００４３】
制御部１０は、ＧＰＳユニット２９により順次検出された携帯電話機１の座標データ（ｘ５，ｙ５）、（ｘ７，ｙ７）及び（ｘ８，ｙ８）に基づいて自らの現在位置の移動速度を検出する。制御部１０は、複数の座標データに基づいて算出した移動距離を、内蔵するタイマ（図示せず。以下同じ。）により計時した時間で割ることにより自らの現在位置の移動速度を検出する。
制御部１０は、記憶部１８に記憶してある、撮像禁止となるべき移動速度データを読み出す。撮像禁止となるべき移動速度データは、例えば、エスカレータの動作速度、電車の移動速度などを考慮して予め夫々設定され、更新される。
制御部１０は、算出した自らの現在位置の移動速度が撮像禁止となるべき移動速度の範囲内であるか否かを判断する。制御部１０は、自らの現在位置の移動速度が撮像禁止となるべき移動速度の範囲内であると判断した場合、撮像場所がエスカレータ又は走行中の電車内などであると判断し、携帯電話機１が盗撮に悪用されていると判断する。
【００４４】
次に制御部１０が実行する被写体までの距離測定手段と、測定した被写体までの距離Ｍに基づく制御処理とについて説明する。図７は被写体までの距離Ｍを説明するための模式図である。
【００４５】
制御部１０は、距離検出センサ３１に被写体までの距離Ｍを検出させる。制御部１０は、記憶部１８に記憶してある、撮像禁止となるべき被写体までの距離ｎのデータを読み出す。撮像禁止となるべき被写体までの距離ｎは、例えば、女性のスカート内部に携帯電話機１を入れて下着を接写し易い距離を考慮して予め設定され、更新される。制御部１０は、例えば、被写体までの距離Ｍが撮像禁止となるべき被写体までの距離ｎ以下であるか否かを判断する（図７参照）。制御部１０は、被写体までの距離Ｍが撮像禁止となるべき被写体までの距離ｎ以下であると判断した場合、携帯電話機１が盗撮に悪用されているおそれがあると判断する。
尚、本実施の形態では、被写体までの距離Ｍが予め設定された距離ｎ以下であるか否かを判断する一例を説明した。しかし、本発明はこれに限定されるものでなく、例えば、被写体までの距離Ｍが予め設定された近距離ｌ以上遠距離ｎ以下の範囲内にあるか否かを判断するようにしてもよい。被写体への距離が極端に近いときは、却って盗撮が発覚しやすいことから、これを盗撮目的の撮像ではなく、例えば、植物の葉の裏面上の昆虫を接写する場合であると判断することにより、本発明は、本来の撮像機能を著しく損なわないように調整することができる。
【００４６】
次に制御部１０が実行する被写体の顔領域の検出手段と、検出結果に応じた制御処理とについて説明する。図８は被写体の顔領域の検出を説明するための模式図である。
【００４７】
制御部１０は、記憶部１８に記憶してある顔領域検出のプログラムを読み出す。読み出した顔領域検出のプログラムは、以下のアルゴリズムを制御部１０に実行させる。制御部１０は、被写体の像についての画像信号を特定領域検出器１３２へ出力する。特定領域検出器１３２は、受け付けた画像信号に対して、垂直方向に特定周波数帯域の信号のみが抽出できるバンドパスフィルタの処理を施すか（図８（ａ）参照）、又は水平方向にバンドパスフィルタの処理を施し（図８（ｂ）参照）、画像信号からエッジ成分を抽出する。
【００４８】
特定領域検出器１３２は、抽出したエッジ成分に対してパターンマッチを行い、目、鼻、口及び耳などの特徴的な部位の抽出を行う。特定領域検出器１３２は、抽出された特徴的な部位に対して、予め設定してある非顔条件フィルタの処理を施し、被写体の顔領域を抽出する。ここで、非顔条件フィルタは、検出した特徴的な部位についての評価値を示すものであり、検出した特徴的な部位が評価値を満たさない場合を顔領域でないとする。
制御部１０は、かかる結果に応じて被写体の顔領域を検出することができるか否かを判断する。制御部１０は、被写体の顔領域の検出ができないと判断した場合、携帯電話機１がスカート内部での盗撮に悪用されているおそれがあると判断する。
【００４９】
次に制御部１０が実行する被写体の温度測定手段と、測定した被写体の温度に基づく制御処理とについて説明する。
【００５０】
制御部１０は、温度測定センサ２３に被写体の温度を検出させる。制御部１０は、記憶部１８に記憶してある、撮像禁止となるべき被写体の温度のデータを読み出す。撮像禁止となるべき被写体の温度は、例えば、女性の体温を考慮して予め設定され、更新される。制御部１０は、例えば、被写体の温度が撮像禁止となるべき被写体の温度の範囲内であるか否かを判断する。制御部１０は、被写体の温度が撮像禁止となるべき被写体の温度の範囲内であると判断した場合、携帯電話機１が女性の像に対する盗撮に悪用されているおそれがあると判断する。
【００５１】
実施例１．
制御部１０が実行する撮像関連処理の実行を制御する制御処理の手順について説明する。図９は実施例１に係る撮像関連処理の実行を制御する制御処理の手順を示すフローチャートである。
【００５２】
携帯電話機１の制御部１０は、ユーザにより入力された撮像関連機能を発揮させる指示を操作部５を介して受け付けたとき、受け付けた指示に応じてバッテリ２６からの電力の供給を行うことにより、撮像処理部１３を起動させる（Ｓ１０１）。制御部１０は、加速度センサ２７に撮像レンズ８１の光軸方向を検出させ（Ｓ１０２）、地磁気センサ２８に重力方向を検出させて鉛直方向を設定する（Ｓ１０３）。制御部１０は、撮像レンズ８１の光軸方向と鉛直方向との間の角度θを算出し（Ｓ１０４）、記憶部１８に記憶してある閾値ａを読み出す。
【００５３】
制御部１０は、角度θと閾値ａとを比較し、角度θが閾値ａ以下であるか否かを判断する（Ｓ１０５）。その結果、制御部１０は、角度θが閾値ａを超えていると判断した場合（Ｓ１０５でＮＯ）、盗撮目的の撮像でないとし、撮像関連処理を実行する（Ｓ１０６）。制御部１０は、撮像関連処理の実行において、画データ生成器１３４に画データを生成させ、生成した画データを記憶部１８に記憶する。制御部１０は、ユーザにより入力された撮像処理部１３の停止指示を操作部５を介して受け付けたか否かを判断し（Ｓ１０７）、撮像処理部１３の停止指示を受け付けていないと判断した場合（Ｓ１０７でＮＯ）、ステップＳ１０２に戻り、制御処理を繰り返す。
【００５４】
一方、制御部１０は、撮像処理部１３の停止指示を受け付けたと判断した場合（Ｓ１０７でＹＥＳ）、撮像処理部１３を停止して制御処理を終了する。
【００５５】
一方、制御部１０は、ステップ１０５において、角度θが閾値ａ以下であると判断した場合（Ｓ１０５でＹＥＳ）、撮像レンズ８１が鉛直上方に向けられていると判断し、ＧＰＳユニット２９に自らの現在位置を検出させ（Ｓ１０８）、検出させた自らの現在位置が撮像の禁止区域であるか否かを判断する（Ｓ１０９）。その結果、制御部１０は、自らの現在位置が撮像の禁止区域でないと判断した場合（Ｓ１０９でＮＯ）、盗撮目的の撮像でないとし、撮像関連処理を実行する（Ｓ１０６）。制御部１０は、画データの生成及び記憶部１８への記憶を行う。制御部１０は、ユーザにより入力された撮像処理部１３の停止指示を操作部５を介して受け付けた否かを判断し（Ｓ１０７）、撮像処理部１３の停止指示を受け付けていないと判断した場合（Ｓ１０７でＮＯ）、ステップＳ１０２に戻り、制御処理を繰り返す。
【００５６】
一方、制御部１０は、撮像処理部１３の停止指示を受け付けたと判断した場合（Ｓ１０７でＹＥＳ）、撮像処理部１３を停止して制御処理を終了する。
【００５７】
一方、制御部１０は、ステップ１０９において、自らの現在位置が撮像の禁止区域であると判断した場合（Ｓ１０９でＹＥＳ）、盗撮目的の撮像であるとし、撮像関連処理を停止し（Ｓ１１０）、撮像処理部１３を停止して制御処理を終了する。
【００５８】
実施例２．
上述した実施例１では、携帯電話機１の姿勢及び携帯電話機１の現在位置のみを条件として撮像禁止を判断する一例を説明した。しかし、本発明は、これに限定されるものでなく、更に携帯電話機１の移動速度を撮像禁止の条件に加えてもよい。その結果、本発明は、携帯電話機１の現在位置がローアングルからの盗撮が可能なエスカレータ、又はローアングルから盗撮し易い走行中の電車内であるか否かを判断することができ、携帯電話機１が盗撮に悪用されることを確実に防止することができる。
そこで、実施例２では、携帯電話機１の移動速度を更に考慮して撮像禁止を判断する一例を説明する。図１０は実施例２に係る撮像関連処理の実行を制御する制御処理の手順を示すフローチャートである。
【００５９】
携帯電話機１の制御部１０は、ユーザにより入力された撮像関連機能を発揮させる指示を操作部５を介して受け付けたとき、受け付けた指示に応じてバッテリ２６からの電力の供給を行うことにより、撮像処理部１３を起動させる（Ｓ２０１）。制御部１０は、加速度センサ２７に撮像レンズ８１の光軸方向を検出させ（Ｓ２０２）、地磁気センサ２８に重力方向を検出させて鉛直方向を設定する（Ｓ２０３）。制御部１０は、撮像レンズ８１の光軸方向と鉛直方向との間の角度θを算出し（Ｓ２０４）、記憶部１８に記憶してある閾値ａを読み出す。
【００６０】
制御部１０は、角度θと閾値ａとを比較し、角度θが閾値ａ以下であるか否かを判断する（Ｓ２０５）。その結果、制御部１０は、角度θが閾値ａを超えていると判断した場合（Ｓ２０５でＮＯ）、盗撮目的の撮像でないとし、撮像関連処理を実行する（Ｓ２０６）。制御部１０は、撮像関連処理の実行において、画データ生成器１３４に画データを生成させ、生成した画データを記憶部１８に記憶する。制御部１０は、ユーザにより入力された撮像処理部１３の停止指示を操作部５を介して受け付けたか否かを判断し（Ｓ２０７）、撮像処理部１３の停止指示を受け付けていないと判断した場合（Ｓ２０７でＮＯ）、ステップＳ２０２に戻り、制御処理を繰り返す。
【００６１】
一方、制御部１０は、撮像処理部１３の停止指示を受け付けたと判断した場合（Ｓ２０７でＹＥＳ）、撮像処理部１３を停止して制御処理を終了する。
【００６２】
一方、制御部１０は、ステップＳ２０５において、角度θが閾値ａ以下であると判断した場合（Ｓ２０５でＹＥＳ）、ＧＰＳユニット２９に自らの現在位置を検出させ（Ｓ２０８）、検出させた自らの現在位置が撮像の禁止区域であるか否かを判断する（Ｓ２０９）。その結果、制御部１０は、自らの現在位置が撮像の禁止区域でないと判断した場合（Ｓ２０９でＮＯ）、盗撮目的の撮像でないとし、撮像関連処理を実行する（Ｓ２０６）。制御部１０は、画データの生成及び記憶部１８への記憶を行う。制御部１０は、ユーザにより入力された撮像処理部１３の停止指示を操作部５を介して受け付けたか否かを判断し（Ｓ２０７）、撮像処理部１３の停止指示を受け付けていないと判断した場合（Ｓ２０７でＮＯ）、ステップ２０２に戻り、制限処理を繰り返す。
【００６３】
一方、制御部１０は、撮像処理部１３の停止指示を受け付けたと判断した場合（Ｓ２０７でＹＥＳ）、撮像処理部１３を停止して制御処理を終了する。
【００６４】
一方、制御部１０は、ステップＳ２０９において、自らの現在位置が撮像の禁止区域であると判断した場合（Ｓ２０９でＹＥＳ）、ＧＰＳユニット２９により順次検出した携帯電話機１の座標データに基づいて自らの現在位置の移動速度を検出する（Ｓ２１０）。制御部１０は、記憶部１８に記憶してある、撮像禁止となるべき移動速度データを読み出し、自らの現在位置の移動速度が撮像禁止となるべき移動速度の範囲内であるか否かを判断する（Ｓ２１１）。その結果、制御部１０は、自らの現在位置の移動速度が撮像禁止となるべき移動速度の範囲内でないと判断した場合（Ｓ２１１でＮＯ）、盗撮目的の撮像でないとし、撮像関連処理を実行する（Ｓ２０６）。制御部１０は、画データの生成及び記憶部１８への記憶を行う。制御部１０は、ユーザにより入力された撮像処理部１３の停止指示を操作部５を介して受け付けたか否かを判断し（Ｓ２０７）、撮像処理部１３の停止指示を受け付けていないと判断した場合（Ｓ２０７でＮＯ）、ステップ２０２に戻り、制御処理を繰り返す。
【００６５】
一方、制御部１０は、撮像処理部１３の停止指示を受け付けたと判断した場合（Ｓ２０７でＹＥＳ）、撮像処理部１３を停止して制御処理を終了する。
【００６６】
一方、制御部１０は、ステップＳ２１１で自らの現在位置の移動速度が撮像禁止となるべき移動速度の範囲内であると判断した場合（Ｓ２１１でＹＥＳ）、盗撮目的の撮像であるとし、撮像関連処理を停止し（Ｓ２１２）、撮像処理部１３を停止して制御処理を終了する。
【００６７】
このように、本発明は、携帯電話機１の現在位置がローアングルからの盗撮が可能なエスカレータ、又はローアングルから盗撮し易い走行中の電車内であるか否かを判断することができ、携帯電話機１が盗撮に悪用されることを確実に防止することができる。
【００６８】
実施例３．
上述した実施例では、携帯電話機１の姿勢及び携帯電話機１の現在位置を条件として撮像禁止を判断する一例を説明した。しかし、本発明は、これに限定されるものでなく、更に被写体との距離を撮像禁止の条件に加えてもよい。その結果、本発明は、被写体との距離がスカート内部の下着を接写し易い距離であるか否かを判断することができ、携帯電話機１が盗撮に悪用されることを確実に防止することができる。
そこで、実施例３では、被写体との距離を更に考慮して撮像禁止を判断する一例を説明する。図１１は実施例３に係る撮像関連処理の実行を制御する制御処理の手順を示すフローチャートである。
【００６９】
携帯電話機１の制御部１０は、ユーザにより入力された撮像関連機能を発揮させる指示を操作部５を介して受け付けたとき、受け付けた指示に応じてバッテリ２６からの電力の供給を行うことにより、撮像処理部１３を起動させる（Ｓ３０１）。制御部１０は、加速度センサ２７に撮像レンズ８１の光軸方向を検出させ（Ｓ３０２）、地磁気センサ２８に重力方向を検出させて鉛直方向を設定させる（Ｓ３０３）。制御部１０は、撮像レンズ８１の光軸方向と鉛直方向との間の角度θを算出し（Ｓ３０４）、記憶部１８に記憶してある閾値ａを読み出す。
【００７０】
制御部１０は、角度θと閾値ａとを比較し、角度θが閾値ａ以下であるか否かを判断する（Ｓ３０５）。その結果、制御部１０は、角度θが閾値ａを超えていると判断した場合（Ｓ３０５でＮＯ）、盗撮目的の撮像でないとし、撮像関連処理を実行する（Ｓ３０６）。制御部１０は、撮像関連処理の実行において、画データ生成器１３４に画データを生成させ、生成した画データを記憶部１８に記憶する。制御部１０は、ユーザにより入力された撮像処理部１３の停止指示を操作部５を介して受け付けたか否かを判断し（Ｓ３０７）、撮像処理部１３の停止指示を受け付けていないと判断した場合（Ｓ３０７でＮＯ）、ステップＳ３０２に戻り、制御処理を繰り返す。
【００７１】
一方、制御部１０は、撮像処理部１３の停止指示を受け付けたと判断した場合（Ｓ３０７でＹＥＳ）、撮像処理部１３を停止して制御処理を終了する。
【００７２】
一方、制御部１０は、ステップＳ３０５において、角度θが閾値ａ以下であると判断した場合（Ｓ３０５でＹＥＳ）、ＧＰＳユニット２９に自らの現在位置を検出させ（Ｓ３０８）、検出させた自らの現在位置が撮像の禁止区域であるか否かを判断する（Ｓ３０９）。その結果、制御部１０は、自らの現在位置が撮像の禁止区域でないと判断した場合（Ｓ３０９でＮＯ）、盗撮目的の撮像でないとし、撮像関連処理を実行する（Ｓ３０６）。制御部１０は、画データの生成及び記憶部１８への記憶を行う。制御部１０は、ユーザにより入力された撮像処理部１３の停止指示を操作部５を介して受け付けたか否かを判断し（Ｓ３０７）、撮像処理部１３の停止指示を受け付けていないと判断した場合（Ｓ３０７でＮＯ）、ステップＳ３０２に戻り、制御処理を繰り返す。
【００７３】
一方、制御部１０は、撮像処理部１３の停止指示を受け付けたと判断した場合（Ｓ３０７でＹＥＳ）、撮像処理部１３を停止して制御処理を終了する。
【００７４】
一方、制御部１０は、ステップＳ３０９において、自らの現在位置が撮像の禁止区域であると判断した場合（Ｓ３０９でＹＥＳ）、距離検出センサ３１に被写体までの距離Ｍを検出させる（Ｓ３１０）。制御部１０は、記憶部１８に記憶してある、撮像禁止となるべき被写体までの距離ｎを読み出し、被写体までの距離Ｍが撮像禁止となるべき被写体までの距離ｎ以下であるか否かを判断する（Ｓ３１１）。その結果、制御部１０は、被写体までの距離Ｍが撮像禁止となるべき被写体までの距離ｎを超えると判断した場合（Ｓ３１１でＮＯ）、盗撮目的の撮像でないとし、撮像関連処理を実行する（Ｓ３０６）。制御部１０は、画データの生成及び記憶部１８への記憶を行う。制御部１０は、ユーザにより入力された撮像処理部１３の停止指示を操作部５を介して受け付けたか否かを判断し（Ｓ３０７）、撮像処理部１３の停止指示を受け付けていないと判断した場合（Ｓ３０７でＮＯ）、ステップＳ３０２に戻り、制御処理を繰り返す。
【００７５】
一方、制御部１０は、撮像処理部１３の停止指示を受け付けたと判断した場合（Ｓ３０７でＹＥＳ）、撮像処理部１３を停止して制御処理を終了する。
【００７６】
一方、制御部１０は、ステップＳ３１１において、被写体までの距離Ｍが撮像禁止となるべき被写体までの距離ｎ以下であると判断した場合（Ｓ３１１でＹＥＳ）、盗撮目的の撮像であるとし、撮像関連処理を停止し（Ｓ３１２）、撮像処理部１３を停止して制御処理を終了する。
【００７７】
このように、本発明は、被写体との距離がスカート内部の下着を接写し易い距離であるか否かを判断することができ、携帯電話機１が盗撮に悪用されることを確実に防止することができる。
【００７８】
実施例４．
上述した実施例では、携帯電話機１の姿勢及び携帯電話機１の現在位置を条件として撮像禁止を判断する一例を説明した。しかし、本発明は、これに限定するものでなく、更に被写体の顔領域の検出を撮像禁止の条件に加えてもよい。その結果、本発明は、顔領域を撮像することのないローアングルからの撮像であるか否かを判断することができ、携帯電話機１が盗撮に悪用されることを確実に防止することができる。
そこで、実施例４では、被写体の顔領域の検出を更に考慮して撮像禁止を判断する一例を説明する。図１２は実施例４に係る撮像関連処理の実行を制御する制御処理の手順を示すフローチャートである。
【００７９】
携帯電話機１の制御部１０は、ユーザにより入力された撮像関連機能を発揮させる指示を操作部５を介して受け付けたとき、受け付けた指示に応じてバッテリ２６からの電力の供給を行うことにより、撮像処理部１３を起動させる（Ｓ４０１）。制御部１０は、加速度センサ２７に撮像レンズ８１の光軸方向を検出させ（Ｓ４０２）、地磁気センサ２８に重力方向を検出させて鉛直方向を設定させる（Ｓ４０３）。制御部１０は、撮像レンズ８１の光軸方向と鉛直方向との間の角度θを算出し（Ｓ４０４）、記憶部１８に記憶してある閾値ａを読み出す。
【００８０】
制御部１０は、角度θと閾値ａとを比較し、角度θが閾値ａ以下であるか否かを判断する（Ｓ４０５）。その結果、制御部１０は、角度θが閾値ａを超えていると判断した場合（Ｓ４０５でＮＯ）、盗撮目的の撮像でないとし、撮像関連処理を実行する（Ｓ４０６）。制御部１０は、盗撮関連処理の実行において、画データ生成器１３４に画データを生成させ、生成した画データを記憶部１８に記憶する。制御部１０は、ユーザにより入力された撮像処理部１３の停止指示を操作部５を介して受け付けたか否かを判断し（Ｓ４０７）、撮像処理部１３の停止指示を受け付けていないと判断した場合（Ｓ４０７でＮＯ）、ステップＳ４０２に戻り、制御処理を繰り返す。
【００８１】
一方、制御部１０は、撮像処理部１３の停止指示を受け付けたと判断した場合（Ｓ４０７でＹＥＳ）、撮像処理部１３を停止して制御処理を終了する。
【００８２】
一方、制御部１０は、ステップＳ４０５において、角度θが閾値ａ以下であると判断した場合（Ｓ４０５でＹＥＳ）、ＧＰＳユニット２９に自らの現在位置を検出させ（Ｓ４０８）、検出させた自らの現在位置が撮像の禁止区域であるか否かを判断する（Ｓ４０９）。その結果、制御部１０は、自らの現在位置が撮像の禁止区域でないと判断した場合（Ｓ４０９でＮＯ）、盗撮目的の撮像でないとし、撮像関連処理を実行する（Ｓ４０６）。制御部１０は、画データの生成及び記憶部１８への記憶を行う。制御部１０は、ユーザにより入力された撮像処理部１３の停止指示を操作部５を介して受け付けたか否かを判断し（Ｓ４０７）、撮像処理部１３の停止指示を受け付けていないと判断した場合（Ｓ４０７でＮＯ）、ステップＳ４０２に戻り、制御処理を繰り返す。
【００８３】
一方、制御部１０は、撮像処理部１３の停止指示を受け付けたと判断した場合（Ｓ４０７でＹＥＳ）、撮像処理部１３を停止して制御処理を終了する。
【００８４】
一方、制御部１０は、ステップＳ４０９において、自らの現在位置が撮像の禁止区域であると判断した場合（Ｓ４０９でＹＥＳ）、特定領域検出器１３２に被写体の顔領域を検出させる（Ｓ４１０）。制御部１０は、特定領域検出器１３２が被写体の顔領域を検出することができるか否かを判断し（Ｓ４１１）、特定領域検出器１３２が被写体の顔領域を検出することができると判断した場合（Ｓ４１１でＹＥＳ）、盗撮目的の撮像でないとし、撮像関連処理を実行する（Ｓ４０６）。制御部１０は、画データの生成及び記憶部１８への記憶を行う。制御部１０は、ユーザにより入力された撮像処理部１３の停止指示を操作部５を介して受け付けたか否かを判断し（Ｓ４０７）、撮像処理部１３の停止指示を受け付けていないと判断した場合（Ｓ４０７でＮＯ）、ステップＳ４０２に戻り、制御処理を繰り返す。
【００８５】
一方、制御部１０は、撮像処理部１３の停止指示を受け付けたと判断した場合（Ｓ４０７でＹＥＳ）、撮像処理部１３を停止して制御処理を終了する。
【００８６】
一方、制御部１０は、ステップＳ４１１において、特定領域検出部１３２が被写体の顔領域を検出することができないと判断した場合（Ｓ４１１でＮＯ）、盗撮目的の撮像であるとし、撮像関連処理を停止し（Ｓ４１２）、撮像処理部１３を停止して制御処理を終了する。
【００８７】
このように、本発明は、顔領域を撮像することのないローアングルからの撮像であるか否かを判断することができ、携帯電話機１が盗撮に悪用されることを確実に防止することができる。
【００８８】
実施例５．
上述した実施例では、携帯電話機１の姿勢及び携帯電話機１の現在位置を条件として撮像禁止を判断する一例を説明した。しかし、本発明は、これに限定されるものでなく、更に被写体の温度を撮像禁止の条件に加えてもよい。その結果、本発明は、被写体が女性であるか否かを判断することができ、携帯電話機１が盗撮に悪用されることを防止することができる。
そこで、実施例５では、被写体の温度を更に考慮して撮像禁止を判断する一例を説明する。尚、実施例５に係る撮像関連処理の実行を制御する制御処理の手順は、上述した実施例４とほぼ同様であるから、図１２のフローチャートのうち、相違点のみを説明し、一致する点については対応する番号を付してその説明を省略する。
【００８９】
制御部１０は、自らの現在位置が撮像の禁止区域であると判断した場合、温度測定センサ２３に被写体の温度を測定させる（Ｓ４１０参照）。制御部１０は、記憶部１８に記憶してある、撮像禁止となるべき被写体の温度を読み出し、測定した被写体の温度が撮像禁止となるべき被写体の温度の範囲内であるか否かを判断する（Ｓ４１１参照）。その結果、制御部１０は、被写体の温度が撮像禁止となるべき被写体の温度の範囲外であると判断した場合（Ｓ４１１参照）、盗撮目的の撮像でないとし、撮像関連処理を実行する。
【００９０】
一方、制御部１０は、被写体の温度が撮像禁止となるべき被写体の温度の範囲内であると判断した場合（Ｓ４１１参照）、盗撮目的の撮像であると判断し、撮像関連処理を停止し、制御処理を終了する。
【００９１】
このように、本発明は、被写体が女性であるか否かを判断することができ、携帯電話機１が盗撮に悪用されることを防止することができる。
【００９２】
実施例６．
上述した実施例では、携帯電話機１の姿勢及び携帯電話機１の現在位置を条件として撮像禁止を判断する一例を説明した。しかし、本発明は、これに限定されるものでなく、更に被写体からの反射光量を撮像禁止の条件に加えるようにしてもよい。その結果、本発明は、女性のスカート内部での撮像であるか否かを判断することができ、携帯電話機１が盗撮に悪用されることを確実に防止することができる。
そこで、実施例６では、被写体からの反射光量を更に考慮して撮像禁止を判断する一例を説明する。尚、実施例６に係る撮像関連処理の実行を制御する制御処理の手順は、上述した実施例４とほぼ同様であるから、図１２のフローチャートのうち、相違点のみを説明し、一致する点については対応する番号を付してその説明を省略する。
【００９３】
制御部１０は、自らの現在位置が撮像の禁止区域であると判断した場合、光量測定センサに被写体からの反射光量を測定させる（Ｓ４１０参照）。制御部１０は、記憶部１８に記憶してある、撮像禁止となるべき被写体からの反射光量を読み出し、測定した被写体からの反射光量が撮像禁止となるべき被写体からの反射光量以下であるか否かを判断する（Ｓ４１１参照）。即ち、被写体周辺の暗いか否かを判断する。その結果、制御部１０は、被写体からの反射光量が撮像禁止となるべき被写体からの反射光量を超えていると判断した場合、盗撮目的の撮像でないとし、撮像関連処理を実行する。
【００９４】
一方、制御部１０は、被写体からの反射光量が撮像禁止となるべき被写体からの反射光量以下であると判断した場合（Ｓ４１１参照）、盗撮目的の撮像であると判断し、撮像関連処理を停止し、制御処理を終了する。
【００９５】
尚、上述では、実施例１において携帯電話機１の姿勢及び携帯電話機１の現在位置を条件として撮像禁止を判断するようにした携帯撮像装置の一例を説明し、実施例２乃至６において、実施例１の条件に一つの条件を更に加えて撮像禁止を判断するようにした携帯撮像装置の一例を説明した。しかし、本発明は、これに限定されるものでなく、例えば、実施例１の条件に実施例２乃至６の条件を複数加えて撮像禁止を判断するか、実施例１の条件に実施例２乃至６の全ての条件を加えて撮像禁止を判断するようにしてもよい。その結果、本発明は、携帯電話機１が盗撮目的の撮像に悪用されているか否かを正確に判断することができる。
【００９６】
また、上述した実施例では、携帯撮像装置を携帯電話機１とした一例を説明した。しかし、本発明は、これに限定されるものでなく、携帯撮像装置を携帯型スチルカメラ、又は携帯型ビデオカメラとしてもよい。
【００９７】
以上の実施の形態に関し、更に以下の付記を開示する。
【００９８】
（付記１）
撮像レンズを介して受光した被写体の像を撮像するための撮像関連処理を、撮像操作に応じて実行する携帯撮像装置において、
前記撮像レンズの光軸方向を検出する方向検出手段と、
検出された光軸方向と予め設定された所定方向との角度が閾値以下であるか否かを判断する姿勢判断手段と、
自らの現在位置が撮像の禁止区域であるか否かを判断する禁止区域判断手段と、
前記角度が閾値以下であり、自らの現在位置が撮像の禁止区域であると判断した場合、前記撮像関連処理を実行しないように制御する制御手段と
を備えることを特徴とする携帯撮像装置。
【００９９】
（付記２）
自らの現在位置を検出する位置検出手段を更に備え、
前記禁止区域判断手段は、検出した位置が撮像の禁止区域であるか否かを判断するようにしてあることを特徴とする付記１に記載の携帯撮像装置。
【０１００】
（付記３）
外部から撮像禁止の信号を受信する手段を更に備え、
前記禁止区域判断手段は、受信した信号に基づいて自らの現在位置が撮像の禁止区域であるか否かを判断するようにしてあることを特徴とする付記１に記載の携帯撮像装置。
【０１０１】
（付記４）
自らの現在位置の移動速度を検出する手段を更に備え、
前記制御手段は、前記角度が閾値以下であり、自らの現在位置が撮像の禁止区域であると判断した場合、検出した移動速度に基づいて前記撮像関連処理を実行しないように制御してあることを特徴とする付記１乃至３の何れか一つに記載の携帯撮像装置。
【０１０２】
（付記５）
被写体までの距離を測定する距離測定手段を更に備え、
前記制御手段は、前記角度が閾値以下であり、自らの現在位置が撮像の禁止区域であると判断した場合、測定した被写体までの距離に基づいて前記撮像関連処理を実行しないように制御してあることを特徴とする付記１乃至４の何れか一つに記載の携帯撮像装置。
【０１０３】
（付記６）
測定した被写体までの距離が予め設定された距離以下であるか否かを判断する手段を更に備え、
前記制御手段は、前記角度が閾値以下であり、自らの現在位置が撮像の禁止区域であると判断した場合であって、測定した被写体までの距離が予め設定された距離以下であると判断したとき、前記撮像関連処理を実行しないように制御してあることを特徴とする付記５に記載の携帯撮像装置。
【０１０４】
（付記７）
被写体の顔領域を検出する顔検出手段を更に備え、
前記制御手段は、前記角度が閾値以下であり、自らの現在位置が撮像の禁止区域であると判断した場合であって、被写体の顔領域を検出することができないとき、前記撮像関連処理を実行しないように制御してあることを特徴とする付記１乃至６の何れか一つに記載の携帯撮像装置。
【０１０５】
（付記８）
被写体の温度を測定する温度測定手段を更に備え、
前記制御手段は、前記角度が閾値以下であり、自らの現在位置が撮像の禁止区域であると判断した場合、測定した被写体の温度に基づいて前記撮像関連処理を実行しないように制御してあることを特徴とする付記１乃至７の何れか一つに記載の携帯撮像装置。
【０１０６】
（付記９）
前記撮像関連処理を実行しないように制御してあるとは、少なくとも撮像操作を受け付けないようにしてあることを特徴とする付記１乃至８の何れか一つに記載の携帯撮像装置。
【０１０７】
（付記１０）
前記撮像関連処理を実行しないように制御してあるということは、少なくとも撮像した画データを保持しないようにしてあることを特徴とする付記１乃至８の何れか一つに記載の携帯撮像装置。
【０１０８】
（付記１１）
予め設定された所定方向とは、鉛直方向であることを特徴とする付記１乃至１０の何れか一つに記載の携帯撮像装置。
【０１０９】
（付記１２）
コンピュータに、携帯撮像装置の撮像レンズを介して受光した被写体の像を撮像するための撮像関連処理を撮像操作に応じて実行させるコンピュータプログラムにおいて、
前記撮像レンズの光軸方向を検出させるステップと、
検出された光軸方向と予め設定された所定方向との角度が閾値以下であるか否かを判断させるステップと、
前記携帯撮像装置の現在位置が撮像の禁止区域であるか否かを判断させるステップと、
前記角度が閾値以下であり、前記携帯撮像装置の現在位置が撮像の禁止区域であると判断した場合、前記撮像関連処理を実行させないように制御させるステップと
をコンピュータに実行させることを特徴とするコンピュータプログラム。
【０１１０】
（付記１３）
前記携帯撮像装置の現在位置を検出させるステップと、
検出した携帯撮像装置の現在位置が撮像の禁止区域であるか否かを判断するステップと
をコンピュータに更に実行させることを特徴とする付記１２に記載のコンピュータプログラム。
【０１１１】
（付記１４）
外部から撮像禁止の信号を受信させるステップと、
受信した信号に基づいて前記携帯撮像装置の現在位置が撮像の禁止区域であるか否かを判断させるステップと
をコンピュータに更に実行させることを特徴とする付記１２に記載のコンピュータプログラム。
【０１１２】
（付記１５）
前記携帯撮像装置の現在位置の移動速度を検出させるステップと、
前記角度が閾値以下であり、前記携帯撮像装置の現在位置が撮像の禁止区域であると判断した場合、検出した移動速度に基づいて前記撮像関連処理を実行させないように制御させるステップと
をコンピュータに更に実行させることを特徴とする付記１２乃至１４の何れか一つに記載のコンピュータプログラム。
【０１１３】
（付記１６）
前記携帯撮像装置から被写体までの距離を測定させるステップと、
前記角度が閾値以下であり、前記携帯撮像装置の現在位置が撮像の禁止区域であると判断した場合、測定した被写体までの距離に基づいて前記撮像関連処理を実行させないように制御させるステップと
をコンピュータに更に実行させることを特徴とする付記１２乃至１５の何れか一つに記載のコンピュータプログラム。
【０１１４】
（付記１７）
測定した被写体までの距離が予め設定された距離以下であるか否かを判断させるステップと、
前記角度が閾値以下であり、前記携帯撮像装置の現在位置が撮像の禁止区域であると判断した場合あって、測定した被写体までの距離が予め設定された距離以下であると判断したとき、前記撮像関連処理を実行しないように制御させるステップと
をコンピュータに更に実行させることを特徴とする付記１６に記載のコンピュータプログラム。
【０１１５】
（付記１８）
被写体の顔領域を検出させるステップと、
前記角度が閾値以下であり、前記携帯撮像装置の現在位置が撮像の禁止区域であると判断した場合であって、被写体の顔領域を検出することができないとき、前記撮像関連処理を実行しないように制御させるステップと
をコンピュータに更に実行させることを特徴とする付記１２乃至１７の何れか一つに記載のコンピュータプログラム。
【０１１６】
（付記１９）
被写体の温度を測定させるステップと、
前記角度が閾値以下であり、前記携帯撮像装置の現在位置が撮像の禁止区域であると判断した場合、測定した被写体の温度に基づいて前記撮像関連処理を実行させないように制御させるステップと
をコンピュータに更に実行させることを特徴とする付記１２乃至１８の何れか一つに記載のコンピュータプログラム。
【図面の簡単な説明】
【０１１７】
【図１】本発明に係る携帯撮像装置の一例である携帯電話機の外観を示す斜視図である。
【図２】携帯電話機の内部構成を示すブロック図である。
【図３】撮像処理部の内部構成を示すブロック図である。
【図４】光軸方向及び所定方向の間の角度を説明するための側面図である。
【図５】現在位置と撮像の禁止区域との関係を説明するための模式図である。
【図６】現在位置の移動速度を説明するための模式図である。
【図７】被写体までの距離を説明するための模式図である。
【図８】被写体の顔領域の検出を説明するための模式図である。
【図９】実施例１に係る撮像関連処理の実行を制御する制御処理の手順を示すフローチャートである。
【図１０】実施例２に係る撮像関連処理の実行を制御する制御処理の手順を示すフローチャートである。
【図１１】実施例３に係る撮像関連処理の実行を制御する制御処理の手順を示すフローチャートである。
【図１２】実施例４に係る撮像関連処理の実行を制御する制御処理の手順を示すフローチャートである。
【符号の説明】
【０１１８】
１  携帯電話機
５  操作部
８  ＣＣＤ
１０  制御部
１２  通信部
１３  情報処理部
１８  記憶部
２０  加速度検出部
２１  方向検出部
２２  位置検出部
２３  温度測定部
２４  距離測定部
２５  電源制御部
２６  バッテリ
２７  加速度センサ
２８  地磁気センサ
２９  ＧＰＳユニット
３０  温度測定センサ
３１  距離測定センサ
８１  撮像レンズ
【図１】
2009141501.tif 000003
【図２】
2009141501.tif 000004
【図３】
2009141501.tif 000005
【図４】
2009141501.tif 000006
【図５】
2009141501.tif 000007
【図６】
2009141501.tif 000008
【図７】
2009141501.tif 000009
【図８】
2009141501.tif 000010
【図９】
2009141501.tif 000011
【図１０】
2009141501.tif 000012
【図１１】
2009141501.tif 000013
【図１２】
2009141501.tif 000014